(57)【要約】【課題】瞬間的な着火による圧力上昇で、燃焼ガスが給気経路を逆流して発生する脈動燃焼や異常音を、簡単な構成で防止した燃焼装置を提供する。【解決手段】石油ガス化バ−ナやガンタイプバ−ナ等の瞬間的に着火するバ−ナ１と、該バ−ナ１に屋外より給気経路１６を介して燃焼空気を供給する燃焼ファン３と、前記バ−ナ１の燃焼ガスは少なくとも強制的に屋外に排気されるもので、前記給気経路１６途中には、燃焼ガスの逆流圧力を減衰させる圧力減衰手段１７を備えたことにより、バ−ナ１の着火時に生じる圧力の上昇分は、燃焼ファン３を通り給気経路を燃焼ガスが逆流する形で現れるが、該給気経路１６には圧力減衰手段１７が備えられ、燃焼ガスはこの圧力減衰手段１７を流通することにより、圧力が減衰され燃焼ファン３の吸引力もあって、圧力上昇は瞬時に抑制されるもので、着火時の異常音及び脈動燃焼を確実に防止することが出来るものである。【選択図】  図１
2005221098.tif 000002
【特許請求の範囲】
【請求項１】
石油ガス化バ−ナやガンタイプバ−ナ等の瞬間的に着火するバ−ナと、該バ−ナに屋外より給気経路を介して燃焼空気を供給する燃焼ファンと、前記バ−ナの燃焼ガスは少なくとも強制的に屋外に排気されるものに於いて、前記給気経路途中には、燃焼ガスの逆流圧力を減衰させる圧力減衰手段を備えた事を特徴とする燃焼装置。
【請求項２】
前記圧力減衰手段は、燃焼ファン近傍の給気パイプ内に備えられ、逆流する燃焼ガスをパイプ中央に寄せた後、一旦パイプ壁面側に広げ、その後再びパイプ中央に寄せるようにした３枚の邪魔板で構成した事を特徴とする請求項１記載の燃焼装置。
【発明の詳細な説明】
【技術分野】
【０００１】
この発明は、ガスバ−ナや石油ガス化バ−ナ、ガンタイプバ−ナ等の瞬間的に着火するバ−ナを有した給湯機やＦＦ式温風暖房機等の燃焼装置に関するものである。
【背景技術】
【０００２】
従来よりこの種のものでは、バ−ナの燃焼ガス通路と燃焼ファンの吸気側とをバイパス路で連通し、このバイパス路に着火時開成する弁装置を設けることで、着火時にバ−ナで発生する瞬間的な圧力上昇を同圧状態とすることで緩和し、この圧力上昇で生じる着火時の異常音や脈動燃焼を防止するものであった。（例えば、特許文献１参照。）
【特許文献１】実公昭６２−２９８００号公報
【発明の開示】
【発明が解決しようとする課題】
【０００３】
ところでこの従来のものでは、バイパス路の設置の為に大きな空間が必要で、器具全体が大型化すると言う問題点を有し、又着火時の為にだけ弁装置及び該弁装置を動かす制御も必要であり、しかも通常燃焼時には燃焼ガスが吸気側に漏れないようにしなければならず、密閉度が高く高温に強い密閉手段が必要であり、構造及び制御面で高価となり、コストアップの原因になると言う課題を有するものであった。
【課題を解決するための手段】
【０００４】
この発明はこの点に着目し上記問題点を解決する為、特にその構成を、請求項１では、石油ガス化バ−ナやガンタイプバ−ナ等の瞬間的に着火するバ−ナと、該バ−ナに屋外より給気経路を介して燃焼空気を供給する燃焼ファンと、前記バ−ナの燃焼ガスは少なくとも強制的に屋外に排気されるものに於いて、前記給気経路途中には、燃焼ガスの逆流圧力を減衰させる圧力減衰手段を備えたものである。
【０００５】
又請求項２では、前記圧力減衰手段は、燃焼ファン近傍の給気パイプ内に備えられ、逆流する燃焼ガスをパイプ中央に寄せた後、一旦パイプ壁面側に広げ、その後再びパイプ中央に寄せるようにした３枚の邪魔板で構成したものである。
【発明の効果】
【０００６】
この発明によれば、バ−ナの着火時に生じる圧力の上昇分は、燃焼ファンを通り給気経路を燃焼ガスが逆流する形で現れるが、該給気経路には圧力減衰手段が備えられ、燃焼ガスはこの圧力減衰手段を流通することにより、圧力が減衰され燃焼ファンの吸引力もあって、圧力上昇は瞬時に抑制されるもので、給気経路に圧力減衰手段を備えることで、着火時の異常音及び脈動燃焼を確実に防止することが出来、スペ−スも取らず器具のコンパクト化が計れると共に、特別な制御や部品が不用で安価で済みコストアップの心配もないものである。
【０００７】
更に圧力減衰手段は、燃焼ファン近傍の給気パイプ内に備えられ、逆流する燃焼ガスをパイプ中央に寄せた後、一旦パイプ壁面側に広げ、その後再びパイプ中央に寄せるようにした３枚の邪魔板で構成したことで、簡単な構成でありながら確実に圧力を減衰出来、素早く通常燃焼に戻れるものであり、常に安心して使用出来るものである。
【発明を実施するための最良の形態】
【０００８】
次にこの発明の一実施形態を図面に基づいて説明する。
１は加熱ヒ−タ２を鋳込まれた石油ガス化式のバ−ナで、燃焼フアン３から送風経路４を介して供給される燃焼空気と、電磁ポンプ（図示せず）から圧送される噴霧ノズル５より噴霧される燃油とを予混合して、バ−ナヘッド部６で燃焼させるものであり、ガス化方式であるので点火器（図示せず）の点火で瞬間的に着火されるものである。
７はバ−ナ１を吊り下げるようにして支持したバ−ナ支持台である。
【０００９】
８は前記したバ−ナ１を下方に備えた燃焼筒で、上部には集熱部９を介して複数個のパイプから構成された熱交換器１０が備えられ、最上部に備えられたクロスフロ−ファンから成る温風ファン（図示せず）によって送風される室内空気と、燃焼ガスとを熱交換して温風として室内に供給して温風暖房を行うものである。
【００１０】
１１は熱交換器１０を流通し温度降下した燃焼ガスを排気する排気パイプで、二重筒構造で先端の給排気孔部１２を屋外に突出させた給排気筒１３の排気部１４に接続し、熱交換後の燃焼カガスを屋外に排気するものであり、給気部１５には燃焼ファン３と連通した給気経路を構成する給気パイプ１６が接続して、屋外の空気を燃焼空気としてバ−ナ１に供給するようにしたものである。
【００１１】
１７は燃焼ファン３近傍の給気パイプ１６内に備えられた圧力減衰手段で、中央をくり抜きドーナツ状として給気パイプ１６内壁に固定された第１邪魔板１８と、中央を残して外周を切欠いた第２邪魔板１９と、第１邪魔板１８と同じく中央をくり抜きドーナツ状として給気パイプ１６内壁に固定された第３邪魔板２０とで構成され、通常行われる燃焼空気の給気に対しては、流速が遅いのであまり抵抗とはならず、スムーズに流通することが出来るが、着火時の圧力上昇による燃焼ガスの爆発的な逆流では抵抗となり、即ち、第１邪魔板１８で給気パイプ１６の中央に案内した燃焼ガスを、次の第２邪魔板１９で当接しながら外周に案内し、最後に第３邪魔板２０で再び中央に集めることで、集中と拡散を繰り返えして、圧力上昇及び特定周波数１５〜２５Ｈｚの騒音を減衰すると共に、着火時の爆発燃焼に誘発される脈動燃焼（振動燃焼）の発生を防止するものである。
【００１２】
更にこの圧力減衰手段１７は、直径４０ｍｍの給気パイプ１６内に、第１邪魔板１８と第３邪魔板２０の中抜き径を直径２６〜３０ｍｍとし、第２邪魔板１９の中央残部径を第１邪魔板１８と第３邪魔板２０の中抜き径より数ｍｍ小さい寸法とし、又各邪魔板１８、１９、２０間の距離Ｌ１、Ｌ２を５〜９ｍｍとして、燃焼ファン３による吸引の負圧で流通する燃焼空気に対しては抵抗とならず、正圧で急激に逆流してくる燃焼ガスには抵抗となるよう隙間寸法としているものである。
【００１３】
次にこの発明一実施形態の作動について説明する。
今運転スイッチ（図示せず）が押圧されれば、加熱ヒ−タ２が通電されてバ−ナ１の予熱が開始され、そして燃油の気化可能温度に達することで、燃焼ファン３から燃焼空気が供給されると共に噴霧ノズル５から燃油が噴霧され、バ−ナ１内で予混合気となって適宜点火器で点火すれば、瞬間的に着火しこの時の空気膨張による圧力上昇分は、集熱部９や熱交換器１０と言う抵抗が多い排気側には流れず、バ−ナ１を介して給気側に流れる。
【００１４】
この給気側に流れた圧力上昇分は、燃焼ファン３を介して給気パイプ１６内を逆流して圧力減衰手段１７に達し、そしてこの圧力減衰手段１７では、第１邪魔板１８で給気パイプ１６の中央に案内した燃焼ガスを、次の第２邪魔板１９で当接しながら外周に案内し、最後に第３邪魔板２０で再び中央に集めることで、集中と拡散を繰り返えして、圧力上昇及び特定周波数１５〜２５Ｈｚの異常音を減衰すると共に、着火時の爆発燃焼に誘発される脈動燃焼の発生を防止するものであり、ここで圧力上昇分は吸収されて通常通りの燃焼空気の供給が継続し、バ−ナ１も着火から通常の燃焼へと継続されるものである。
【００１５】
次にこのバ−ナ１の燃焼で発生した燃焼ガスが、燃焼筒８、集熱部９、熱交換器１０と流通し、対流ファンからの送風と熱交換して温風とし、これで室内の暖房を行うものであり、熱交換して温度降下した燃焼ガスは給排気筒１３を介して屋外へ排気されるものである。
【００１６】
尚、この実施形態では石油ガス化バ−ナを例にして説明したが、これに限らず例えばガンタイプ式のバ−ナでも同様な効果を得ることが出来るものである。
【図面の簡単な説明】
【００１７】
【図１】この発明一実施形態を付した燃焼装置の概略構成図。
【図２】同要部の説明図。
【符号の説明】
【００１８】
１  バーナ
３  燃焼ファン
１６  給気パイプ（給気経路）
１７  圧力減衰手段
１８  第１邪魔板
１９  第２邪魔板
２０  第３邪魔板
【図１】
2005221098.tif 000003
【図２】
2005221098.tif 000004